(57)【要約】【課題】収納部をサイドドアに固定的に設けて、乗員周りの収納スペースを確保しつつ、側突時には前記収納部を衝撃吸収領域に転換し、シート装置に着座した乗員の保護に寄与させる。【解決手段】サイドドアの車室内側に収納部１３を設ける。この収納部１３の収納空間１２は、サイドドアに車幅方向に隣接して車室内に配設されたシート装置１１に着座した乗員Ａの近傍に位置している。乗員Ａを車幅方向車外側から入力される衝撃から保護するエアバッグ装置を備え、このエアバッグ装置のエアバッグ２２が、作動時には、前記収納部１３の収納空間１２内に展開するように構成する。【選択図】図８
2010195124.tif 000002
【特許請求の範囲】
【請求項１】
車両の側面に配設されたサイドドアの車室内側に収納部が設けられ、この収納部の収納空間が、前記サイドドアに車幅方向に隣接して車室内に配設されたシート装置に着座した乗員の近傍に位置すると共に、前記乗員を車幅方向車外側から入力される衝撃から保護するエアバッグ装置が備えられた車両用乗員保護装置であって、
前記エアバッグ装置のエアバッグは、作動時には、前記収納空間内に展開するように構成されていることを特徴とする車両用乗員保護装置。
【請求項２】
請求項１に記載の車両用乗員保護装置において、
前記エアバッグは、非作動時は、前記収納空間とサイドドアの内部空間とを仕切るサイドドア壁部に対して前記サイドドアの内部空間側に配設され、作動時には、前記サイドドア壁部を破断して前記収納空間内に展開することを特徴とする車両用乗員保護装置。
【請求項３】
請求項１又は２に記載の車両用乗員保護装置において、
前記収納部は、シート装置の着座面より低い位置で上方を向く開口を有し、
前記エアバッグは、作動時には、前記収納空間内に展開すると共に、前記開口から車室内空間に出て前記シート装置に着座した乗員の腰部に向けて展開することを特徴とする車両用乗員保護装置。
【請求項４】
請求項３に記載の車両用乗員保護装置において、
前記開口の上方にアームレストが配設され、このアームレストの下面に、前記開口から車室内空間に出たエアバッグをシート装置側に導く方向変更部が設けられていることを特徴とする車両用乗員保護装置。
【請求項５】
請求項１から４のいずれか１項に記載の車両用乗員保護装置において、
前記収納部に、前記収納空間内に展開中のエアバッグを前記シート装置に着座した乗員の腰部に向けて案内する案内部が設けられていることを特徴とする車両用乗員保護装置。
【請求項６】
請求項５に記載の車両用乗員保護装置において、
前記案内部は、前記収納空間と車室内空間とを仕切る収納部の仕切り壁の上部がエアバッグの展開に伴ってシート装置側へ変位することにより構成されていることを特徴とする車両用乗員保護装置。
【請求項７】
請求項６に記載の車両用乗員保護装置において、
前記仕切り壁の変位が可能なように該仕切り壁に脆弱部が設けられていることを特徴とする車両用乗員保護装置。
【請求項８】
請求項６又は７に記載の車両用乗員保護装置において、
変位した仕切り壁と当接することにより該仕切り壁の変位を所定位置に規制する当接部がシート装置の側部に設けられていることを特徴とする車両用乗員保護装置。
【請求項９】
請求項２に記載の車両用乗員保護装置において、
前記エアバッグは、前記収納空間とサイドドアの内部空間とを仕切るサイドドア壁部のうち、車幅方向車外側のサイドドア壁部を破断して前記収納空間内に展開することを特徴とする車両用乗員保護装置。
【請求項１０】
請求項１から９のいずれか１項に記載の車両用乗員保護装置において、
前記収納部の収納空間は、前記サイドドアの車室内側の面よりもサイドドアの内部側に位置していることを特徴とする車両用乗員保護装置。
【発明の詳細な説明】
【技術分野】
【０００１】
本発明は車両用乗員保護装置、より詳しくは、シート装置に着座した乗員を車幅方向車外側から入力される衝撃から保護する車両用乗員保護装置に関する。
【背景技術】
【０００２】
従来、車両の側面に配設されたサイドドアに車幅方向に隣接して車室内に配設されたシート装置に着座した乗員を車幅方向車外側（車両側方）から入力される衝撃、すなわち側面衝突（側突）による衝撃から保護する技術として、アウタパネルとインナパネルとで構成されるサイドドア本体内に、車両前後方向に延びるインパクトバーを配設して、側突時のサイドドアの車室内への移動を抑制する技術や、サイドドアの内部に、樹脂発泡体等でなる衝撃吸収材（ＥＡ材：ｅｎｅｒｇｙ  ａｂｓｏｒｂｉｎｇ材）を収容して、側突時に乗員に加わる衝撃を緩和する技術等が知られている。
【０００３】
一方、サイドドアの車室内側には、例えば地図等の物品を収納するための空間を有する収納部（すなわちドアポケット）が一般に設けられる。この収納部は、物品を収納するという機能上、その収納空間を空いた状態にしておく必要があり、それがため、側突時にはこの収納部を衝撃吸収領域とすることができないという問題がある。
【０００４】
前記問題は、収納部の収納空間がサイドドアの車室内側の面よりもサイドドアの内部側に位置しているか（つまり収納部がサイドドアに窪んで形成されているか）又は外部側に位置しているか（つまり収納部がサイドドアから突出して形成されているか）に拘らず生じる問題であるが、特に、収納部が窪んで形成されているときは、その部分でサイドドアの内部に衝撃吸収材を収容するスペースがなくなる又は少なくなるという問題が併発する。その結果、側突がこの収納部の配設位置で起ると、サイドドアのその部分が車室内へ容易に移動することとなる。しかも、収納部の収納空間は、シート装置に着座した乗員の近傍に位置する場合が多いので、側突時にサイドドアが車室内へ移動したときには、収納部が乗員の腰部や下肢部に接触する可能性が高くなる。
【０００５】
そこで、収納部を廃止して、シート装置に着座した乗員の腰部や下肢部の近傍に位置するサイドドアの部分に衝撃吸収材を十分量収容することが考えられるが、そうすると、乗員周りの収納スペースが少なくなり、車両の商品性の面から好ましくない。
【０００６】
これに対処する技術として、特許文献１には、収納部をシート装置に着座した乗員の腰部の側方の位置から例えば回動やスライド移動によって退避可能な構造とし、側突時には前記収納部を押して退避させつつ該収納部のあった位置に展開するエアバッグをサイドドアに備える技術が開示されている。これによれば、側突時にサイドドアが車室内へ移動したときには、収納部ではなくエアバッグが乗員の腰部や下肢部に接触して乗員を保護することとなる。
【先行技術文献】
【特許文献】
【０００７】
【特許文献１】特開平６−１６１０４号公報（段落００１９、００２６）
【発明の概要】
【発明が解決しようとする課題】
【０００８】
しかし、前記技術では、収納部を例えばドアトリムに一体成形することができず、サイドドアの構造が複雑化するという問題、収納部の回動やスライド移動に支障が生じると、収納部が円滑に退避しなくなるという問題、エアバッグが収納部を押す分、エアバッグの展開に時間がかかるという問題等がある。
【０００９】
そこで、本発明は、収納部をサイドドアに固定的に残して、乗員周りの収納スペースを確保しつつ、側突時には、該収納部を衝撃吸収領域に転換し、シート装置に着座した乗員の保護に寄与させることを課題とする。また、本発明は、その場合に、特にシート装置に着座した乗員の腰部の保護も同時に図ることも課題とする。
【課題を解決するための手段】
【００１０】
前記課題を解決するため、本発明では次のような手段を用いる。
【００１１】
まず、本願の請求項１に記載の発明は、車両の側面に配設されたサイドドアの車室内側に収納部が設けられ、この収納部の収納空間が、前記サイドドアに車幅方向に隣接して車室内に配設されたシート装置に着座した乗員の近傍に位置すると共に、前記乗員を車幅方向車外側から入力される衝撃から保護するエアバッグ装置が備えられた車両用乗員保護装置であって、前記エアバッグ装置のエアバッグは、作動時には、前記収納空間内に展開するように構成されていることを特徴とする。
【００１２】
次に、本願の請求項２に記載の発明は、請求項１に記載の車両用乗員保護装置において、前記エアバッグは、非作動時は、前記収納空間とサイドドアの内部空間とを仕切るサイドドア壁部に対して前記サイドドアの内部空間側に配設され、作動時には、前記サイドドア壁部を破断して前記収納空間内に展開することを特徴とする。
【００１３】
次に、本願の請求項３に記載の発明は、請求項１又は２に記載の車両用乗員保護装置において、前記収納部は、シート装置の着座面より低い位置で上方を向く開口を有し、前記エアバッグは、作動時には、前記収納空間内に展開すると共に、前記開口から車室内空間に出て前記シート装置に着座した乗員の腰部に向けて展開することを特徴とする。
【００１４】
次に、本願の請求項４に記載の発明は、請求項３に記載の車両用乗員保護装置において、前記開口の上方にアームレストが配設され、このアームレストの下面に、前記開口から車室内空間に出たエアバッグをシート装置側に導く方向変更部が設けられていることを特徴とする。
【００１５】
次に、本願の請求項５に記載の発明は、請求項１から４のいずれか１項に記載の車両用乗員保護装置において、前記収納部に、前記収納空間内に展開中のエアバッグを前記シート装置に着座した乗員の腰部に向けて案内する案内部が設けられていることを特徴とする。
【００１６】
次に、本願の請求項６に記載の発明は、請求項５に記載の車両用乗員保護装置において、前記案内部は、前記収納空間と車室内空間とを仕切る収納部の仕切り壁の上部がエアバッグの展開に伴ってシート装置側へ変位することにより構成されていることを特徴とする。
【００１７】
次に、本願の請求項７に記載の発明は、請求項６に記載の車両用乗員保護装置において、前記仕切り壁の変位が可能なように該仕切り壁に脆弱部が設けられていることを特徴とする。
【００１８】
次に、本願の請求項８に記載の発明は、請求項６又は７に記載の車両用乗員保護装置において、変位した仕切り壁と当接することにより該仕切り壁の変位を所定位置に規制する当接部がシート装置の側部に設けられていることを特徴とする。
【００１９】
次に、本願の請求項９に記載の発明は、請求項２に記載の車両用乗員保護装置において、前記エアバッグは、前記収納空間とサイドドアの内部空間とを仕切るサイドドア壁部のうち、車幅方向車外側のサイドドア壁部を破断して前記収納空間内に展開することを特徴とする。
【００２０】
次に、本願の請求項１０に記載の発明は、請求項１から９のいずれか１項に記載の車両用乗員保護装置において、前記収納部の収納空間は、前記サイドドアの車室内側の面よりもサイドドアの内部側に位置していることを特徴とする。
【発明の効果】
【００２１】
まず、本願の請求項１に記載の発明によれば、サイドドアの車室内側に設けられた収納部の収納空間が、シート装置に着座した乗員の近傍に位置すると共に、該シート装置に着座した乗員を車幅方向車外側から入力される衝撃から保護するエアバッグ装置が備えられている場合に、前記エアバッグ装置のエアバッグは、作動時、すなわち側突時には、前記収納部の収納空間内に展開するから、側突時には、前記収納部は、その収納空間内に衝撃吸収材が収容された状態と同様の状態となり、前記収納部が衝撃吸収領域に転換されることとなる。したがって、たとえ側突時にサイドドアが車室内へ移動し、前記収納部がシート装置に着座した乗員に接触しても、該収納部は乗員の保護に寄与することとなる。
【００２２】
しかも、作動時以外は、前記エアバッグは、収納部の収納空間内に展開しないから、作動時以外の通常時は、前記収納空間は空いた状態となり、その結果、収納部をサイドドアに固定的に残して、乗員周りの収納スペースを確保することが可能となる。
【００２３】
その場合に、本願の請求項２に記載の発明によれば、前記エアバッグは、作動時には、前記収納空間を画成するサイドドア壁部を破断してサイドドアの内部から収納空間内に展開するから、前記エアバッグの収納空間内への展開が確実となる。
【００２４】
次に、本願の請求項３に記載の発明によれば、前記エアバッグは、作動時には、収納部の収納空間内に展開するだけでなく、シート装置の着座面より低い位置で上方を向く収納部の開口から車室内空間に出て前記シート装置に着座した乗員の腰部に向けても展開するから、この乗員の腰部に向けて展開したエアバッグによって、特に乗員の腰部の保護も同時に図られることとなる。
【００２５】
その場合に、本願の請求項４に記載の発明によれば、前記収納部の開口の上方に配設されたアームレストの下面に、前記開口から車室内空間に出たエアバッグをシート装置側に導く方向変更部が設けられているから、前記エアバッグのシート装置に向けての展開、ひいては乗員腰部に向けての展開が確実となる。
【００２６】
一方、本願の請求項５に記載の発明によれば、前記収納部に、前記収納空間内に展開中のエアバッグをシート装置に着座した乗員の腰部に向けて案内する案内部が設けられているから、前記エアバッグの乗員腰部に向けての展開が相対的に早い時期から行われ、エアバッグによる乗員腰部の保護が早い時期から確実に達成されることとなる。
【００２７】
その場合に、本願の請求項６に記載の発明によれば、前記案内部は、前記収納空間と車室内空間とを仕切る収納部の仕切り壁の上部がエアバッグの展開に伴ってシート装置側へ変位することにより構成されているから、前記エアバッグの乗員腰部に向けての展開が簡単な構成で確実に達成されると共に、通常時は、前記仕切り壁の上部がシート装置側へ変位しないので、シート装置の側部下方に配設された、例えばシートリクライニング機構やシート上下位置調整機構等の操作レバーの操作スペースが確保されることとなる。
【００２８】
次に、本願の請求項７に記載の発明によれば、前記仕切り壁の変位が可能なように該仕切り壁に脆弱部が設けられているから、仕切り壁がこの脆弱部で破断することにより、仕切り壁の上部が確実にシート装置側へ変位することとなる。
【００２９】
次に、本願の請求項８に記載の発明によれば、変位した仕切り壁がシート装置の側部に設けられた当接部に当接することにより、その変位が所定位置に規制されるから、エアバッグが確実に乗員腰部に向けて案内されることとなる。
【００３０】
また、本願の請求項９に記載の発明によれば、前記エアバッグは、作動時には、前記収納空間を画成するサイドドア壁部のうち、車幅方向車外側のサイドドア壁部を破断して収納空間内に展開するから、収納部に物品が収納されている場合に、該物品がエアバッグでシート装置の側部に押え付けられることとなり、該物品が飛散して乗員に接触するという不具合が回避されることとなる。
【００３１】
そして、本願の請求項１０に記載の発明によれば、前記収納部の収納空間がサイドドアの車室内側の面よりもサイドドアの内部側に位置しているから、つまり収納部がサイドドアに窪んで形成されているから、シート装置とサイドドアとの間にあまり空間が確保できない場合でも、サイドドアの車室内側の面から車室内空間に突出させないで収納部を設けることができる。また、その場合に、サイドドアの内部に衝撃吸収材を収容するスペースがなくなる又は少なくなるという問題が生じても、側突時には、前記収納部が衝撃吸収領域となるから、乗員の保護と収納スペース確保の利便性とが両立することとなる。
【００３２】
以下、発明の実施形態を次に列挙する図面に基き説明することにより、本発明をさらに詳しく説述する。
【図面の簡単な説明】
【００３３】
【図１】本発明の実施形態に係る車両の運転席側のサイドドアを車室内側から見た側面図である。
【図２】前記サイドドアの斜視図である。
【図３】前記車両の運転席側のシート装置を車外側から見た側面図である。
【図４】前記車両の運転席側のサイドドア及びシート装置を車両正面側から見た図であって、サイドドアについては図１の矢印（ｉ）による断面図である。
【図５】前記車両の運転席側のサイドドア及びシート装置を上方から見た平面図であって、サイドドアについては図４の矢印（ｉｉ）による断面図である。
【図６】前記車両に搭載されたエアバッグ装置の説明図であって、（ａ）は非作動時の平面図、（ｂ）は前記図６（ａ）の矢印（ｉｉｉ）による断面図、（ｃ）は作動開始直後の前記図（ｂ）に類似の断面図である。
【図７】エアバッグが収納空間内に展開を開始した状態を示す図４に類似の要部拡大図である。
【図８】エアバッグがシート装置に着座した乗員の腰部に向けて展開した状態を示す図４に類似の要部拡大図である。
【図９】エアバッグがシート装置に着座した乗員の腰部に向けて展開した状態を示す図５に類似の平面図である。
【図１０】本発明の第２の実施形態に係る図４に類似の図である。
【図１１】第２の実施形態に係る図５に類似の平面図である。
【図１２】第２の実施形態に係る図７に類似の要部拡大図である。
【図１３】第２の実施形態に係る図８に類似の要部拡大図である。
【図１４】第２の実施形態に係る図９に類似の平面図である。
【発明を実施するための形態】
【００３４】
まず、図１及び図２を参照して第１の実施形態を説明する。本実施形態では、本発明を運転席側で説明するが、助手席側でも同様である。また、本発明は、状況に応じて、後部座席にも適用し得る。
【００３５】
車両１の側面に配設されたサイドドア１０に対して、車幅方向に隣接して、車室内にシート装置１１が配設されている。シート装置１１には乗員Ａが着座している。
【００３６】
サイドドア１０の車室内側には、例えば地図等の物品を収納するための空間１２を有する収納部１３（すなわちドアポケット）が設けられている。収納部１３は、物品を収納するという機能上、その収納空間１２は空いた状態にされている。それがため、側突時にはこの収納部１３を衝撃吸収領域とすることができないという問題がある。
【００３７】
収納部１３の収納空間１２は、サイドドア１０の車室内側の面１４よりもサイドドア１０の内部側に位置している。つまり、収納部１３は、サイドドア１０に窪んで形成されている。その結果、この収納部１３の配設位置には、サイドドア１０の内部に衝撃吸収材を収容するスペースがなくなる又は少なくなるという問題もある。したがって、側突がこの収納部１２の配設位置で起ると、サイドドア１０のその部分が車室内へ容易に移動することとなる。
【００３８】
また、収納部１３の収納空間１２は、シート装置１１に着座した乗員Ａの近傍に位置している。その結果、側突時にサイドドア１０が車室内へ移動したときには、この収納部１３が乗員Ａの腰部や下肢部に接触する可能性が高くなる。
【００３９】
特に、本実施形態では、収納部１３は、シート装置１１の着座面より低い位置にあり、その収納空間１２は、乗員Ａの腰部や下肢部の近傍に位置している。そして、収納部１３は、シート装置１１の着座面より低い位置で上方を向く開口１５を有している。乗員Ａは、この開口１５を介して、収納部１３の収納空間１２に対して物品を出し入れする。
【００４０】
図２に明示したように、収納部１３の収納空間１２の下方には、乗員Ａを車幅方向車外側から入力される衝撃から保護するエアバッグ装置２０が備えられている。なお、エアバッグ装置２０については後に詳しく述べる。また、図１では、図面の見易さを確保するため、エアバッグ装置２０の図示を省略してある。
【００４１】
収納部１３の開口の上方には、車室内側に膨出するアームレスト１６が配設されている。その他、サイドドア１０には、ウインド駆動用のスイッチユニット１７や、オーディオスピーカ１８等が配設されている。
【００４２】
次に、図３に示すように、前記シート装置１１は、従来周知の構造であって、シートクッション１１ａ、シートバック１１ｂ、ヘッドレスト１１ｃの他、シートクッション１１ａのサイドドア側の側部に設けられたカバー部材１１ｄ、該カバー部材１１ｄに配設されたシートリクライニング機構の操作レバー１１ｅ及びシート上下位置調整機構の操作レバー１１ｆ等を有している。
【００４３】
そして、フロアＦに敷設されたレール１１ｇに沿ってシート装置１１の前後位置が調整可能されている。その場合、シート装置１１の前後位置に関係なく、前記収納部１３の収納空間１２は、シート装置１１に着座した乗員Ａの側方で、該乗員Ａの近傍に位置するだけの、前後方向の長さを有している。
【００４４】
そして、前記カバー部材１１ｄにおいて、前記操作レバー１１ｅ，１１ｆの間の部分が、サイドドア側に突出しており、当接部１１ｈを構成している。これについても後に詳しく述べる。
【００４５】
次に、図４に示すように、フロアＦの側端部はサイドシル１９に結合しており、このサイドシル１９の上方に閉じた状態のサイドドア１０が位置している。サイドドア１０は、アウタパネル３１とインナパネル３２とを有し、両パネル３１，３２で構成されるサイドドア本体３３内に、車両前後方向に延びるインパクトバー３４が配設されて、側突時のサイドドア１０の車室内への移動の抑制が図られている。また、サイドドア１０の内部に、樹脂発泡体等でなる衝撃吸収材３５が収容されて、側突時の乗員Ａに加わる衝撃の緩和が図られている。
【００４６】
なお、サイドドア１０の上縁部には、ウインドガラス３６が挿通するための溝３７が形成されている。
【００４７】
そして、図５にも示すように、サイドドア本体３３の車室内側に樹脂成形品であるドアトリム３８が結合されている。前記収納部１３やアームレスト１６等は、このドアトリム３８に一体に形成されている。
【００４８】
収納部１３の収納空間１２の下方には、非作動時のエアバッグ装置２０が備えられている。このエアバッグ装置２０は、図６（ａ）に示すように、インフレータ２１と、エアバッグ２２と、エアバッグ２２を格納する箱形状のケース２３とを有する。また、図６（ｂ）に示すように、ケース２３の１面に薄肉溝が形成され、脆弱部２４とされている。作動時には、図６（ｃ）に示すように、この脆弱部２４でケース２３が破断し、破断した面からエアバッグ２２が展開する。
【００４９】
図４の拡大円内に示すように、本実施形態では、脆弱部２４を上に向けて、収納部１３の底壁を構成するサイドドア壁部５０の下方に、非作動時のエアバッグ装置２０が配置されている。エアバッグ装置２０はドアトリム３８に組み付けられている。ここで、前記サイドドア壁部５０は、収納空間１２とサイドドア１０の内部空間とを仕切る複数のサイドドア壁部のうちの１つである。したがって、エアバッグ装置２０は、非作動時は、前記サイドドア壁部５０に対してサイドドア１０の内部空間側に配設されていることになる。
【００５０】
さらに、図４の拡大円内に示したように、前記サイドドア壁部５０の幅方向の中央部に薄肉溝が形成され、脆弱部４１とされている。また、図５の拡大円内に示すように、前記収納部１３の収納空間１２と車室内空間とを仕切る収納部１３の仕切り壁１３ａの両側部にも薄肉溝が形成され、脆弱部４２，４２とされている（図２参照）。さらに、図４に明示したように、アームレスト１６の下面１６ａは、下方から上方に向けてシート装置１１側に滑らかに傾斜する湾曲面とされている。
【００５１】
次に、本実施形態の作用を説明する。
【００５２】
当該車両１に車幅方向車外側から衝撃が入力されると、該衝撃を図示しない検知装置が検知して、エアバック装置２０が作動し、エアバッグ２２が膨張を開始して、ケース２３を脆弱部２４で破断し、上方に展開し始める。エアバッグ２２は、収納部１３の底壁を構成するサイドドア壁部５０を脆弱部４１で破断し、図７に示すように、収納部１３の収納空間１２内に下方から進入し、該収納空間１２内に展開を開始する。
【００５３】
展開が進行すると、エアバッグ２２は、図８に示すように、収納部１３の開口１５から車室内空間に出て、さらに上方に展開する。そして、アームレスト１６の下面１６ａの湾曲面に沿って、展開の方向が横方向に変更され、シート装置１１側に導かれる。その結果、開口１５から収納空間１２を出たエアバッグ２２は、シート装置１１に着座した乗員Ａの腰部に向けて展開することになる。
【００５４】
また、エアバッグ２２は、収納空間１２内に展開中に、収納部１３の収納空間１２と車室内空間とを仕切る仕切り壁１３ａを脆弱部４２，４２で破断し、前記図７及び図８のほか図９にも示すように、仕切り壁１３ａの上部をエアバッグ２２の展開に伴ってシート装置１１側へ変位させる。変位した仕切り壁１３ａは、シート装置１１の側部に設けられた当接部１１ｈに当接することにより、その変位が所定位置に規制される。その結果、収納空間１２内に展開中のエアバッグ２２は、シート装置１１に着座した乗員Ａの腰部に向けて展開することになる。
【００５５】
このように、本実施形態においては、サイドドア１０の車室内側に設けられた収納部１３の収納空間１２は、サイドドア１０に車幅方向に隣接して車室内に配設されたシート装置１１に着座した乗員Ａの近傍に位置している。そして、シート装置１１に着座した乗員Ａを車幅方向車外側から入力される衝撃から保護するために備えられたエアバッグ装置２０のエアバッグ２２は、作動時、すなわち側突時には、前記収納部１３の収納空間１２内に展開する。したがって、側突時には、前記収納部１３は、その収納空間１２内に衝撃吸収材３５が収容された状態と同様の状態となり、前記収納部１３が衝撃吸収領域に転換される。その結果、たとえ側突時にサイドドア１０が車室内へ移動し、前記収納部１３がシート装置１１に着座した乗員Ａに接触しても、該収納部１３は乗員Ａの保護に寄与する。
【００５６】
また、作動時以外は、前記エアバッグ２２は、収納部１３の収納空間１２内に展開しないから、作動時以外の通常時は、前記収納空間１２は空いた状態となり、その結果、収納部１３をサイドドア１０に固定的に備えて、乗員Ａ周りの収納スペースを確保することができる。
【００５７】
その場合に、前記エアバッグ２２は、作動時には、前記収納空間１２を画成するサイドドア壁部（本実施形態では収納部１３の底壁を構成するサイドドア壁部）５０を破断してサイドドア１０の内部から収納空間１２内に展開するから、前記エアバッグ２２の収納空間１２内への展開が確実となる。
【００５８】
また、前記エアバッグ２２は、作動時には、収納部１３の収納空間１２内に展開するだけでなく、シート装置１１の着座面より低い位置で上方を向く収納部１３の開口１５から車室内空間に出て前記シート装置１１に着座した乗員Ａの腰部に向けても展開するから、この乗員Ａの腰部に向けて展開したエアバッグ２２によって、特に乗員Ａの腰部の保護も同時に図られる。
【００５９】
その場合に、前記収納部１３の開口１５の上方に配設されたアームレスト１６の下面１６ａに、前記開口１５から車室内空間に出たエアバッグ２２をシート装置１１側に導く方向変更部（下方から上方に向けてシート装置１１側に滑らかに傾斜する湾曲面）が設けられているから、前記エアバッグ２２のシート装置１１に向けての展開、ひいては乗員Ａ腰部に向けての展開が確実となる。
【００６０】
一方、前記収納部１３に、前記収納空間１２内に展開中のエアバッグ２２をシート装置１１に着座した乗員Ａの腰部に向けて案内する案内部（上部がシート装置１１側へ変位可能な仕切り壁１３ａ）が設けられているから、前記エアバッグ２２の乗員Ａ腰部に向けての展開が相対的に早い時期から行われ、エアバッグ２２による乗員Ａ腰部の保護が早い時期から確実に達成される。
【００６１】
その場合に、前記案内部は、前記収納空間１２と車室内空間とを仕切る収納部１３の仕切り壁１３ａの上部がエアバッグ２２の展開に伴ってシート装置１１側へ変位することにより構成されているから、前記エアバッグ２２の乗員Ａ腰部に向けての展開が簡単な構成で確実に達成されると共に、通常時は、前記仕切り壁１３ａの上部がシート装置１１側へ変位しないので、シート装置１１の側部下方に配設された、シートリクライニング機構の操作レバー１１ｅやシート上下位置調整機構の操作レバー１１ｆの操作スペースが確保される。
【００６２】
また、前記仕切り壁１３ａの変位が可能なように該仕切り壁１３ａに脆弱部４２，４２が設けられているから、仕切り壁１３ａがこの脆弱部４２，４２で破断することにより、仕切り壁１３ａの上部が確実にシート装置１１側へ変位する。
【００６３】
そして、その場合に、変位した仕切り壁１３ａがシート装置１１の側部に設けられた当接部１１ｈに当接することにより、その変位が所定位置に規制されるから、エアバッグ２２が確実に乗員Ａ腰部に向けて案内される。
【００６４】
加えて、本実施形態においては、収納部１３の収納空間１２がサイドドア１０の車室内側の面１４よりもサイドドア１０の内部側に位置しているから、つまり収納部１３がサイドドア１０に窪んで形成されているから、シート装置１１とサイドドア１０との間にあまり空間が確保できない場合でも、サイドドア１０の車室内側の面１４から車室内空間に突出させないで収納部１３を設けることができる。また、その場合に、サイドドア１０の内部に衝撃吸収材３５を収容するスペースがなくなる又は少なくなるという問題が生じても、側突時には、前記収納部１３が衝撃吸収領域となるから、乗員Ａの保護と収納スペース確保の利便性とが両立する。
【００６５】
次に、前記図４、図５、図７〜図９にそれぞれ対応する図１０〜１４を参照して、本発明の第２の実施形態を説明する。前記第１の実施形態と同じ又は類似する構成要素には同じ符号を用い、特徴部分のみ説明する。
【００６６】
この第２の実施形態では、前記第１の実施形態と異なり、エアバッグ２２は、収納空間１２とサイドドア１０の内部空間とを仕切る複数のサイドドア壁部のうち、収納部１３の縦の側壁を構成する車幅方向車外側の縦壁部５１を破断して前記収納空間１２内に展開する（図１２参照）。そのため、エアバッグ装置２０は、非作動時は、前記車外側縦壁部５１に対してサイドドア１０の内部空間側に配設されている（図１０参照）。エアバッグ装置２０はインナパネル３２に組み付けられている。その場合、エアバッグ装置２０は、脆弱部２４が形成されたケース２３の面（図６（ｂ）参照）を前記車外側縦壁部５１に対向させている。
【００６７】
そして、図１０及び図１１に拡大図示したように、前記車外側縦壁部５１に四角形を描くように４本の薄肉溝が形成され、脆弱部４３…４３とされている。その場合、下部に位置する脆弱部４３は他の脆弱部４３…４３よりも肉厚とされている（図１０の拡大円内参照）。
【００６８】
これによれば、エアバッグ２２は、作動時には、車幅方向車外側の縦壁部５１を前記脆弱部４３…４３で破断して収納空間１２内に展開するから、エアバッグ２２の初期の展開方向は、横方向になる（図１２参照：前記第１実施形態では最初から上下方向であった）。その結果、収納部１３に例えば地図等の物品５２が収納されている場合に、該物品５２がエアバッグ２２で収納部１３の仕切り壁１３ａひいてはシート装置１１の側部に押え付けられることとなり（図１３及び図１４参照）、該物品５２が飛散して乗員Ａに接触するという不具合が回避される。
【００６９】
なお、エアバッグ２２は、その後、収納空間１２内を下方から上方へ展開し、アームレスト１６の下面１６ａの湾曲面に沿って、展開の方向が横方向に変更され、シート装置１１側に導かれて、乗員Ａの腰部に向けて展開する（図１２及び図１３参照）。その場合に、前記収納空間１２内における下方から上方への展開が確実に行われるように、縦壁部５１は上部が開くように破断する。そして、そのために、下部に位置する脆弱部４３は他の脆弱部４３…４３よりも肉厚とされているのである。
【産業上の利用可能性】
【００７０】
以上、具体例を挙げて詳しく説明したように、本発明は、収納部をサイドドアに固定的に残して、乗員周りの収納スペースを確保しつつ、側突時には、該収納部を衝撃吸収領域に転換し、シート装置に着座した乗員の保護に寄与させること、及び、その場合に、シート装置に着座した乗員の腰部の保護も同時に図ることが可能な技術であるから、シート装置に着座した乗員を側突による衝撃から保護する車両用乗員保護装置の技術分野において広範な産業上の利用可能性が期待される。
【符号の説明】
【００７１】
１      車両
１０    サイドドア
１１    シート装置
１１ｈ  当接部
１２    収納空間
１３    収納部（ドアポケット）
１３ａ  収納部の仕切り壁
１４    サイドドアの車室内側の面
１５    収納部の開口
１６    アームレスト
１６ａ  アームレストの下面
２０    エアバッグ装置
２２    エアバッグ
４２    脆弱部
５０，５１  サイドドア壁部
Ａ      乗員
【図１】
2010195124.tif 000003
【図２】
2010195124.tif 000004
【図３】
2010195124.tif 000005
【図４】
2010195124.tif 000006
【図５】
2010195124.tif 000007
【図６】
2010195124.tif 000008
【図７】
2010195124.tif 000009
【図８】
2010195124.tif 000010
【図９】
2010195124.tif 000011
【図１０】
2010195124.tif 000012
【図１１】
2010195124.tif 000013
【図１２】
2010195124.tif 000014
【図１３】
2010195124.tif 000015
【図１４】
2010195124.tif 000016